(57)【特許請求の範囲】
【請求項１】
断面三角形競走水面側消波体と断面三角形岸壁側消波体とを連結金具を介し連結してＵ字形消波空間を形成した一対の消波本体を長手方向に所要個数接続し、該競走水面側消波体の表面板を乗越えて来た波を該Ｕ字形消波空間に落下させて巻込みながら消波させる消波装置に於いて；
所要容積を有し、その天板の所要個所にドレイン孔を、側板の所要個所に蓋を有する給水孔を夫々穿設した複数個の浮力調整用水タンクを該連結金具の下面に一体に設けて成り；
排水ポンプを介して該消波装置が沈下して分だけ排水して浮力を調整する競艇場に於ける消波装置の浮力調整装置。
【請求項２】
該浮力調整用水タンクを該Ｕ字形消波空間の長手方向に長方形水タンクとし、該長方形水タンクの該天板の所要個所に浮力調整用のドレイン孔を、側板の所要個所に蓋を有する給水孔を夫々穿設し、該長方形水タンク内の長手方向所要個所にバルク・ヘッドを設け、該バルク・ヘッドの下部で底板に接して通水孔を設けて成る請求項1記載の競艇場に於ける消波装置の浮力調整装置。
【請求項３】
該浮力調整用水タンクを該Ｕ字形消波空間の垂直方向に上下動自在として成る請求項1又は請求項２記載の競艇場に於ける消波装置の浮力調整装置。
【発明の詳細な説明】
【０００１】
【産業上の利用分野】
この発明は、競艇場に於ける消波装置の浮力調整装置に関し、更に詳しくは競艇場の水面に設けられている消波装置の水面下部分に付着した牡蠣、藤壷、昆布等の水性動植物により重量が増加して沈下した場合、排水ポンプを介して沈下した分だけ排水して浮力を復元、調整する競艇場に於ける消波装置の浮力調整装置に関する。
【０００２】
【従来の技術】
競艇場に於いては、競走水面に３００ｍの間隔で設けられた１番と２番のターン・マークを６隻のレース艇が楕円形を描きながら１周約３５秒で３周回一斉に航走し、直線区間では最高速度約８０〜８３ｋｍ／ｈの高速度で航走して競走する。
【０００３】
これらレース艇が同士が航走中衝突してバランスを失い転覆する事故もあり、又、航走により造波する引き波の外に、風等の自然条件により発生する波が岸壁、その他の競艇場内の機器に衝突し、跳ね返って来た返し波と干渉して大きな波となり、この大きな波が高速で航走するレース艇の航走の障害となり、各レース艇の転覆の原因となる場合もある。
【０００４】
前述の通り、各レース艇は、約８０〜８３ｋｍ／ｈの高速度で航走するから、コーナ部のターンの際各レース艇は横滑りして岸壁、ポール、塔、その他の機器に衝突したり、又、バランスを失ってレース艇から投出された選手は、岸壁或いはこれらの機器に衝突して負傷し、最悪の場合はレース艇のバウが他の艇の選手の身体に衝突して死亡事故に至る事がある。
【０００５】
【発明が解決しようとする課題】
）
そこで競艇場の競走水面には公知の消波装置が設けられているが、それには次の様な諸欠陥が生じた。
（１）競艇場水面に浮遊状態で設けられている消波装置は、長さ４ｍ、幅２ｍ、高さ１．５ｍで約２００Ｋｇの重量を有し、その底面やその他の水面下部には、水中で成育する牡蠣、藤壷、昆布等の水性動植物が付着し易く、特に牡蠣や藤壷の死骸に次々に新たな牡蠣、藤壷、海草等が付着するから該消波装置の重量が増加し、水面（Ｗ．Ｌ．）より約１０ｃｍ以上も水没するので消波効果が著しく減少し、大きな波の消波が出来なくなる。
【０００６】
（２）その結果、該消波装置の牡蠣、藤壷、海草等の除去作業が必要であり、少なくとも１年に１回はその除去作業を実施する必要がある。
【０００７】
（３）そのため、該消波装置の連結部を外し、水面上を所要箇所まで曳航して陸揚げし、牡蠣、藤壷、海草等の死骸や、生きた牡蠣、藤壷、海草等の人海戦術による除去作業（特に牡蠣落し作業）を実施し、組立後水面に戻し、再び元の水面迄曳航して該消波装置同士を連結、固定するが、陸揚げ器材と多数の人員を必要とし、その労力、費用等の著しい増加が避けられなかった。
【０００８】
（４）しかし、この牡蠣、藤壷、海草等の除去作業は、水上で実施するものであるから天候の影響を受けやすく、しかも、競艇の非開催日を選んで実施するので作業日数も極めて制限される。
従って、前述の通り、多数の熟練労働者、例えば漁師、引退した漁師等を動員して実施している状態であるから所要水上作業人員の確保が容易でない。
【０００９】
（５）又、該消波装置から取除いた牡蠣、藤壷の死骸や、生きた牡蠣、藤壷、海草等は、相当の悪臭を発するから、一般の産業廃棄物として廃棄処分出来ず、埋立地に投棄せざるを得ないので、廃棄箇所が極めて制限されており、その廃棄場所の確保に苦慮している状態である。
【００１０】
【課題を解決するための手段】
しかし、この発明者は、牡蠣、藤壷等は、ある程度該消波装置に付着するとそれ以上付着しないことを発見し、牡蠣、藤壷等の付着により該消波装置の重量が増加して全体が水面（Ｗ．Ｌ．）に対する所要深度より沈下した場合、排水ポンプを介して沈下した分だけ排水して浮力を調整（装置を浮かせ）し、該消波装置の低下した消波効果を復元、増大するものである。
【００１１】
この発明は、前述の消波装置の牡蠣、藤壺等の付着により沈下する欠陥を除去するものであり、その第1要旨は、断面三角形競走水面側消波体と断面三角形岸壁側消波体とを連結金具を介し連結してＵ字形消波空間を形成した一対の消波本体を長手方向に所要個数接続し、該競走水面側消波体の表面板を乗越えて来た波を該Ｕ字形消波空間内に落下させて巻込みながら消波させる消波装置に於いて、所要容積を有し、その天板の所要個所にドレイン孔を、側板の所要個所に蓋を有する給水孔を夫々穿設した浮力調整用の複数個の水タンクを該連結金具の下面に一体に設けて成り、排水ポンプを介して該消波装置が沈下した分だけ排水して浮力を調整する競艇場に於ける消波装置の浮力調整装置である。
【００１２】
その第２要旨は、浮力調整用水タンクをＵ字形消波空間の長手方向に長方形水タンクとし、該長方形水タンクの該天板の所要個所に浮力調整用のドレイン孔を、側板の所要個所に蓋を有する給水孔を夫々穿設し、該長方形水タンク内の長手方向所要個所にバルク・ヘッドを設け、該バルク・ヘッドの下部で底板に接して通水孔を設けて成る競艇場に於ける消波装置の浮力調整装置である。
【００１３】
その第３要旨は、浮力調整用水タンクをＵ字形消波空間の垂直方向に上下動自在として成る競艇場に於ける消波装置の浮力調整装置である。
【００１４】
【発明の実施の形態】
この発明に係る消波装置の浮力調整装置の形態を競艇場に於ける消波装置の浮力調整装置について説明する。
【００１５】
【実施例】
特許請求の範囲の各請求項記載の発明の実施例を図面について説明する。図１〜５に於いて、消波装置Ａは、共にガラス繊維強化プラスッチック製断面三角形競走水面側消波体Ｂと断面三角形岸壁側消波体Ｃとを連結金具Ｄを介して連結してＵ字形消波空間Ｅを形成した一対の該消波体Ｂ、ＣをＣ形鋼１２、１２を介して長手方向に所要個数接続する。
【００１６】
該競走水面側消波体Ｂの傾斜板１０の鋸歯状表面板１０ａを乗越えて来た波を該Ｕ字形消波空間Ｅ内に落下させて巻込みながら消波させ、更に該Ｕ字形消波空間Ｅの底部に所要間隔で波落下用開口部１４・・を設けて水中に落下させて消波させ、該岸壁側消波体Ｂの傾斜板１０の鋸歯状表面板１０ａにも長手方向に溝１０ｂを形成して波を該傾斜板１０の下側に導いて消波する構成とする。
【００１７】
そして、該連結金具Ｃ上に設けられたシリンダ１６内に圧縮スプリング１８ａを挿入し、該圧縮スプリング１８ａ内に挿入したボルト１８の一端をシリンダ１６の内壁に固着し、該ボルト１８の他端にピストン２０の一端を固着し、該ピストン２０の他端にＬ字形枠体２２を接続して該競走水面側消波体Ａ側に突出させ、該Ｌ字形枠体２２にガード・レイル２４を設け、該ガード・レイル２４を常時コース側に付勢させる構成とする。
【００１８】
尚、該断面三角形競走水面側消波体Ａと該断面三角形岸壁側消波体Ｂとの下面に発泡ウレタン樹脂製フロート２６を夫々一体に設ける。
【００１９】
請求項1記載の競艇場に於ける消波装置の浮力調整装置１０に於いて、該連結金具Ｃの下面に一体に設けられ、且つ該該Ｕ字形消波空間Ｄに位置して水面（Ｗ．Ｌ．）に浮遊される浮力調整装置Ｆは、特に図３〜５に示す通り、所要容積を有する複数個の浮力調整用水タンク３０の天板３０ａの所要個所に、ドレイン孔３０ｂを夫々穿設し、これら浮力調整用水タンク３０の側板３０ｃに給水孔３０ｄを穿設し、所要個所に設置後蓋を外して該各給水孔３０ｄから該浮力調整装置Ｆ内に給水し、所要深度で安定次第該蓋を嵌合する構成とする。
【００２０】
図６〜８に示す通り、請求項２記載の発明の実施例に於いては、浮力調整用水タンクＦを該Ｕ字形消波空間Ｄの長手方向に長い立方体タンク４０を１個とし、該長方形水タンク４０の該天板４０ａの所要箇所に浮力調整用ドレイン孔４０ｂを穿設し、該長方形水タンク４０内の長手方向所要箇所にバルク・ヘッド４２を設けて補強し、該各バルク・ヘッド４２下部で底板に接して通水孔４２ｄを穿設して成り、該連結金具Ｃの下面に該浮力調整装置Ｆ（４０）を一体に設け、水面（Ｗ．Ｌ．）に浮遊させる。
【００２１】
従って、該天板４０ａの該浮力調整用ドレイン孔４０ｂ内に排水ポンプに接続されたホース（共に図示せず）の先端を挿入し、該排水ポンプを介して沈下した分だけ排水すれば、該各バルク・ヘッド４２下部の該各通水孔４２ｄから排水されて浮力を調整する。
【００２２】
図９に示す通り、請求項３記載の発明の実施例に於いては、該各浮力調整用水タンク３０、４０を該Ｕ字形消波空間Ｅの垂直方向に上下動自在として成る構成とする。
【００２３】
具体的には、該連結金具Ｄのいずれかの側面で長手方向両端近くの該Ｕ字形消波空間Ｅに臨む箇所に所定間隔でナット５２、５２を固着し、該各ナット５２内に２本のボルト５０を螺合して垂直に設け、該ボルト５０の下端に該浮力調整装置Ｆ（３０、４０）を一体に設け、該ボルト５０、５２の回転により水面（Ｗ．Ｌ．）に対して該浮力調整装置Ｆ（３０、４０）を上下動させてその高さを調節自在とする。
【００２４】
【発明の作用】
前述の構成を有するこの発明の競艇場に於ける消波装置Ａの浮力調整装置Ｆ（３０、４０）は、該消波装置Ａの水面下部分に付着した牡蠣、藤壷等の付着により該消波装置Ａの重量が増加して全体が水面に対する所要深度より沈下した場合、該浮力調整用水タンク３０、４０の該天板３０ａ、４０ａの該浮力調整用ドレイン孔３０ｂ、４０ｂ内にポンプに接続されたホース（共に図示せず）の先端を挿入し、該消波装置Ａの水面下部分に付着した牡蠣、藤壷、海草等の水性動植物により重量が増加して沈下した場合、排水ポンプを介して該浮力調整用水タンク３０、４０から沈下した分だけ排水して浮力を調整（消波装置を浮かせる）する競艇場に於ける消波装置の浮力調整装置Ｆである。
【００２５】
【発明の効果】
（１）前述の通り、この発明の競艇場に於ける消波装置Ａの浮力調整装置Ｆは、該消波装置Ａの水面下部分に付着した牡蠣、藤壷、海草等の付着により該消波装置Ａの重量が増加して全体が水面（Ｗ．Ｌ．）に対する所要深度より沈下した場合、該浮力調整用水タンク３０の該浮力調整用ドレイン孔３０ｂ内に排水ポンプに接続されたホース（共に図示せず）の先端を挿入し、該排水ポンプを介して沈下した分だけ排水して浮力を調整するから、該牡蠣、藤壷、海草等の人海戦術による除去作業が不要となる。
【００２６】
（２）そして、浮力調整用水タンク３０の該給水孔３０ｄの蓋を取外せば、該浮力調整用水タンク３０内に水を給水可能となる。
【００２７】
（３）請求項２記載の発明の実施例に於いては、複数の該浮力調整用水タンク３０の代わりに該長方形水タンク４０を１個設けたので、該連結金具Ｄの下面への取付けが容易となり、更に該長方形水タンク４０内の所要箇所にバルク・ヘッド４２を設けたので水の片寄りによる重量アンバランスを防止する。
【００２８】
（４）該天板４０ａの該浮力調整用ドレイン孔４０ｂ内にポンプに接続されたホース（共に図示せず）の先端を挿入し、該排水ポンプを介して沈下した分だけ排水して浮力を調整する。
【００２９】
（５）請求項３記載の発明の実施例に於いては、該各水タンク３０、４０を該Ｕ字形消波空間Ｅの垂直方向に上下動自在としたので、該水タンク３０、４０からの排水ポンプによる浮力の調整の外に、該ボルト５０を介して該各水タンク３０、４０を機械的に上下動自在となるので浮力の調整が更に容易となる。
【００３０】
（６）従って、定期的な該消波装置Ａの曳航、分解、陸揚、牡蠣落とし作業、再組立、曳航、設置等も不要となるので、従来の牡蠣落とし作業の労力、費用等の著しい増加を避ける事が出来る。
【００３１】
（７）その結果、該消波装置Ａから除去した該牡蠣、藤壺、海草等の埋立地への投棄の必要がなくなる。
【図面の簡単な説明】
【図１】  この発明に係る請求項１記載の複数の浮力調整装置を消波空間内に設けた競艇場に於ける消波装置の浮力調整装置を上側から見た一部切欠部分透視平面略図。
【図２】  図１に示す消波装置の１１−１１線一部切欠断面略図。
【図３】  図１に示す消波装置から取外した浮力調整装置の平面略図。
【図４】  図３の浮力調整装置の平面略図。
【図５】  図４の浮力調整装置のＶ−Ｖ線断面略図。
【図６】  この発明に係る請求項２記載の１個の浮力調整装置を消波空間内に設けた競艇場に於ける消波装置を上側から見た部分透視平面略図。
【図７】  図６の１個の浮力調整装置を消波装置から取出した一部透視平面略図。
【図８】  図７の浮力調整装置のＶ１１１−Ｖ１１１線断面略図。
【図９】  この発明に係る請求項３記載の浮力調整装置をＵ字形消波空間の垂直方向に上下動自在とした実施例の部分断面略図。
【符号の説明】
Ａ  ・・・  消波装置；
Ｂ  ・・・  断面三角形競走水面側消波体；
Ｃ  ・・・  断面三角形岸壁側消波体；
Ｄ  ・・・  連結金具；
Ｅ  ・・・  Ｕ字形消波空間；
Ｆ  ・・・  浮力調整装置；
３０、４０  ・・・  浮力調整用水タンク；
３０ａ、４０ａ  ・・・  天板；
３０ｂ、４０ｂ  ・・・  浮力調整用水ドレイン孔；
３０ｃ、４０ｃ  ・・・  側板；
３０ｄ、４０ｄ  ・・・  給水孔；
４２  ・・・  バルク・ヘッド；
４２ａ  ・・・  バルク・ヘッドの底部の浮力調整用の通水孔；
５０  ・・・  ボルト；
５２  ・・・  ナット。
【図１】
0003799384.tif 000002
【図２】
0003799384.tif 000003
【図３】
0003799384.tif 000004
【図４】
0003799384.tif 000005
【図５】
0003799384.tif 000006
【図７】
0003799384.tif 000007
【図６】
0003799384.tif 000008
【図８】
0003799384.tif 000009
【図９】
0003799384.tif 000010